(57)【要約】【課題】プレキャスト鉄筋コンクリート部材の接合部分を補強して、その接合部分に充填した硬化性充填材の割れ及び剥落を防止する。【解決手段】プレキャスト鉄筋コンクリート柱部材１０の柱頭の上面と、プレキャスト鉄筋コンクリート柱梁接合部ブロック１４の下面との間に画成される目地空間２６内に、この目地空間２６に沿って延展するメッシュ材２８を配設した後に、この目地空間２６内に硬化性充填材を充填して硬化させるようにした。【選択図】図２
2006265952.tif 000002
【特許請求の範囲】
【請求項１】
２つのプレキャスト鉄筋コンクリート部材のコンクリート表面どうしを近接させ対向させて、それらプレキャスト鉄筋コンクリート部材を互いに接合する際の、プレキャスト鉄筋コンクリート部材の接合部分の補強方法において、
互いに近接させ対向させる２つのプレキャスト鉄筋コンクリート部材のコンクリート表面どうしの間に画成される目地空間内に、該目地空間に沿って延展するメッシュ材を配設した後に、該目地空間内に硬化性充填材を充填して硬化させる、
ことを特徴とするプレキャスト鉄筋コンクリート部材の接合部分の補強方法。
【請求項２】
既設の現場打ちコンクリート打設部分のコンクリート表面とプレキャスト鉄筋コンクリート部材のコンクリート表面とを近接させ対向させて、該現場打ちコンクリート打設部分に該プレキャスト鉄筋コンクリート部材を接合する際の、プレキャスト鉄筋コンクリート部材の接合部分の補強方法において、
互いに近接させ対向させる既設の現場打ちコンクリート打設部分のコンクリート表面とプレキャスト鉄筋コンクリートのコンクリート表面との間に画成される目地空間内に、該目地空間に沿って延展するメッシュ材を配設した後に、該目地空間内に硬化性充填材を充填して硬化させる、
ことを特徴とするプレキャスト鉄筋コンクリート部材の接合部分の補強方法。
【請求項３】
前記メッシュ材が金属網材から成ることを特徴とする請求項１又は２記載のプレキャスト鉄筋コンクリート部材の接合部分の補強方法。
【請求項４】
前記メッシュ材を前記目地空間内に配設する際に、前記メッシュ材と前記目地空間を画成する２つのコンクリート表面のうちの少なくとも一方のコンクリート表面との間に所定の間隔を確保するためのスペーサを配設することを特徴とする請求項１又は２記載のプレキャスト鉄筋コンクリート部材の接合部分の補強方法。
【請求項５】
前記メッシュ材として、該メッシュ材と前記目地空間を画成する２つのコンクリート表面のうちの少なくとも一方のコンクリート表面との間に間隔を確保するための周縁屈曲部を形成したメッシュ材を使用することを特徴とする請求項１又は２記載のプレキャスト鉄筋コンクリート部材の接合部分の補強方法。
【発明の詳細な説明】
【技術分野】
【０００１】
本発明は、プレキャスト鉄筋コンクリート部材の接合部分の補強方法に関する。
【背景技術】
【０００２】
プレキャスト鉄筋コンクリート部材（以下の説明では、「プレキャスト鉄筋コンクリート」を「ＰＣａ」と表記する）を用いて建物を構築するＰＣａ工法では、工場で製作したＰＣａ部材を現場へ搬送し、現場においては、そのＰＣａ部材の鉄筋を、他のＰＣａ部材の鉄筋に接合するか、または、現場打ちコンクリート打設部分の鉄筋に接合し、そして、その接合部分に、現場打ちコンクリートを打設するか、或いは、グラウトなどの硬化性充填材を充填するようにしている。
【０００３】
また、かかるＰＣａ工法では、２つのプレキャスト鉄筋コンクリート部材を互いに接合する際に、または、既設の現場打ちコンクリート打設部分にプレキャスト鉄筋コンクリート部材を接合する際に、双方のコンクリート表面どうしを近接させ対向させて、それらを接合するということも行われている。その場合に、それらの鉄筋どうしの接合は、グラウト充填型鉄筋継手などを用いて行われる。また、互いに近接させ対向させる双方のコンクリート表面どうしの間の狭小な接合部分には目地空間が画成され、その目地空間にグラウトなどの硬化性充填材が充填される。充填されたグラウトは硬化して、グラウト層を形成する。このグラウト層の厚さ、即ち目地幅の設計値を決定するに際しては、その目地空間内にグラウトを充填する際の充填性と、硬化後のそのグラウト層の強度とを勘案する必要がある。
【０００４】
目地幅は、小さければ小さいほど、経済性及び強度上有利である。しかしながら、目地幅が小さすぎると、充填するグラウトが目地空間の全体に十分に回りきらずに空隙が残る場合があり、これに伴う断面欠損により接合部分の強度が低下するおそれがある。目地幅を小さくして画成された薄いグラウト層は、一般的に割れが発生しやすい。グラウト層の割れは、接合部分の中央部よりも外周部、即ち、目地が露出した部分に発生しやすい。特に、柱頭部分など高所に位置する接合部分においてグラウト層の割れが発生するようであると、その割れたグラウトの破片が剥落して落下することが懸念される。
【０００５】
従って、プレキャスト鉄筋コンクリートを接合する際に、互いに近接させ対向させるコンクリート表面どうしの間に画成される接合部の目地幅の設計値を決定する際には、その目地幅が、グラウトなどの硬化性充填材の充填を良好に行える程度に広くなければならないという条件と、硬化後の充填材層が充分な強度を持ち得る程度に狭くなければならないという条件とを、共に満足する必要がある。
【発明の開示】
【発明が解決しようとする課題】
【０００６】
しかしながら、例えば高層建物などにＰＣａ工法を適用して、そのＰＣａ柱部材の柱脚及び柱頭の接合部分が、上述したような目地空間を画成する狭小な接合部分となる場合には、それら２つの条件を共に満足することが困難になる。なぜならば、この種の建物では柱が太いことから、接合部分の面積が大きなものとなり、そのため、良好な充填性を確保するには目地幅をより広く設定することが必要になる。一方、この種の建物では柱に作用する軸圧縮荷重が大きいことから、硬化後の充填材層の強度を確保するために目地幅をより狭く設定することが求められる。これら相反する要求が、上の２つの条件を満足することを困難にしているのである。
【０００７】
本発明はかかる事情に鑑み成されたものであり、本発明の目的は、ＰＣａ部材の接合部分を目地空間を画成するような狭小な接合部分とする場合に、その接合部分が大面積のものであっても、その接合部分への硬化性充填材の充填を良好に行え、しかも、硬化後の充填材層が充分な強度を持ち得るように、そのＰＣａ部材の接合部分を補強し、もって、硬化後の充填材の割れや剥落を防止することにある。
【課題を解決するための手段】
【０００８】
かかる目的を達成するため、本発明に係るプレキャスト鉄筋コンクリート部材の接合部分の補強方法は、２つのプレキャスト鉄筋コンクリート部材のコンクリート表面どうしを近接させ対向させて、それらプレキャスト鉄筋コンクリート部材を互いに接合する際の、プレキャスト鉄筋コンクリート部材の接合部分の補強方法において、互いに近接させ対向させる２つのプレキャスト鉄筋コンクリート部材のコンクリート表面どうしの間に画成される目地空間内に、該目地空間に沿って延展するメッシュ材を配設した後に、該目地空間内に硬化性充填材を充填して硬化させることを特徴とする。
【０００９】
また、本発明に係るプレキャスト鉄筋コンクリート部材の接合部分の補強方法は、既設の現場打ちコンクリート打設部分のコンクリート表面とプレキャスト鉄筋コンクリート部材のコンクリート表面とを近接させ対向させて、該現場打ちコンクリート打設部分に該プレキャスト鉄筋コンクリート部材を接合する際の、プレキャスト鉄筋コンクリート部材の接合部分の補強方法において、互いに近接させ対向させる既設の現場打ちコンクリート打設部分のコンクリート表面とプレキャスト鉄筋コンクリートのコンクリート表面との間に画成される目地空間内に、該目地空間に沿って延展するメッシュ材を配設した後に、該目地空間内に硬化性充填材を充填して硬化させることを特徴とする。
【発明の効果】
【００１０】
本発明に係るＰＣａ部材の接合部分の補強方法によれば、硬化後の充填材層がメッシュ材によって補強されるため、ＰＣａ部材の接合部分が大面積のものである場合には、それに応じて目地幅を広く設定することができ、従って、接合部分への硬化性充填材の充填を良好に行えると共に、硬化後の充填材層が充分な強度を持ち得るようにすることができ、もって、充填材の割れや剥落を良好に防止することができる。
【発明を実施するための最良の形態】
【００１１】
以下に、本発明の実施の形態について添付図面を参照しつつ詳細に説明して行く。図１（Ａ）は本発明に係る補強方法を用いて接合部分を補強するＰＣａ柱部材及びＰＣａ柱梁接合部ブロックの具体例をＰＣａ梁部材と共に示した立面図であり、（Ｂ）は（Ａ）に示したＰＣａ柱梁接合部ブロック及びＰＣａ梁部材の平面図である。また、図２（Ａ）及び（Ｂ）は、本発明の第１の実施の形態に係る方法を適用した図１のＰＣａ柱部材の柱頭とＰＣａ柱梁接合部ブロックとの接合部分を示した断面立面図及び平面図である。図１及び図２において、ＰＣａ柱部材１０の柱頭の上面は水平な平面を画成しており、この柱頭の上面から上方へ、複数の柱主筋１２の上端部が延出している。ＰＣａ柱梁接合部ブロック１４は、柱梁接合部１６と、この柱梁接合部１６から側方へ延出した梁部１８とを一体化してＰＣａ部材としたものであり、梁部１８の先端には、図１（Ａ）及び（Ｂ）に示したようにＰＣａ梁部材１９の先端が接合される。ＰＣａ柱梁接合部ブロック１４の柱梁接合部１６には、図２（Ａ）及び（Ｂ）に示したように、ＰＣａ柱部材１０の柱頭から延出した複数の柱主筋１２の上端部を挿通するための、複数の柱主筋挿通孔２０が貫通形成されている。柱主筋挿通孔２０の下面の中央には、扁平な四角錐台の形状の突起である凸型コッター２２が突出形成されている。尚、図示例では、柱主筋挿通孔２０は柱梁接合部１６にシース管２４を埋設することによって形成されている。
【００１２】
ＰＣａ柱部材１０の柱頭にＰＣａ柱梁接合部ブロック１４を接合するには、ＰＣａ柱部材１０の柱頭の上面から上方へ延出した複数の柱主筋１２の上端部を、ＰＣａ柱梁接合部ブロック１４の複数の柱主筋挿通孔２０の夫々に挿通して、ＰＣａ柱梁接合部ブロック１４をＰＣａ柱部材１０の柱頭に載置する。このとき、ＰＣａ柱梁接合部ブロック１４の柱梁接合部１６の下面の凸型コッター２２が、ＰＣａ柱部材１０の柱頭の上面に当接するため、柱梁接合部１６の下面とＰＣａ柱部材１０の柱頭の上面との間に目地空間２６が形成される。従って、ＰＣａ柱梁接合部ブロック１４を、ＰＣａ柱部材１０の柱頭に載置することによって、ＰＣａ柱梁接合部ブロック１４の下面のコンクリート表面と、ＰＣａ柱部材１０の柱頭の上面のコンクリート表面とを、互いに近接させ対向させることになり、そこに目地空間２６が画成される。
【００１３】
本発明においては、目地空間２６内に、この目地空間２６に沿って延展するメッシュ材２８を配設するようにしており、このメッシュ材２８は、後に説明する硬化性充填材から成る充填材層を補強するためのものである。メッシュ材２８は、金属網材から成るものとすることが好ましく、また、図２（Ｂ）に示したように、目地空間２６の周縁部に沿って延展する平面形状のものとすることが好ましい。
【００１４】
接合時の作業手順としては、先ず、ＰＣａ柱部材１０の柱頭の上面に、複数のスペーサ３０を載置し、それらスペーサ３０は、メッシュ材２８と、この柱頭のコンクリート表面との間に所定の間隔を確保するためのものである。続いて、メッシュ材２６の網目に柱主筋１２を通すようにして、それらスペーサ３０の上にメッシュ材２８を載置する。しかる後に、ＰＣａ柱梁接合部ブロック１４を、ＰＣａ柱部材１０の柱頭に載置する。
【００１５】
続いて、ＰＣａ柱梁接合部ブロック１４を載置したことにより形成された目地空間２６の周囲を、充填材の止め枠３１によって封止する。この後、目地空間２６内と柱主筋挿通孔２０内とに、硬化性充填材であるグラウトを充填して硬化させる。目地空間２６内への充填と柱主筋挿通孔２０内への充填とは、別々に行ってもよく、同時に行ってもよい。また、目地空間２６内へグラウトを充填するには、止め枠３１に注入孔を形成して、その注入孔からグラウトを注入するようにしてもよく、或いは、ＰＣａ柱梁接合部ブロック１４に注入孔を貫通形成して、その注入孔からグラウトを注入するようにしてもよい。尚、硬化性充填材としてはグラウト以外のものを使用することも可能である。
【００１６】
充填したグラウトが硬化することによって、ＰＣａ柱梁接合部ブロック１４とＰＣａ柱部材１０とが固定接合される。特に、目地空間２６内に充填されたグラウトが硬化することにより形成されるグラウト層は、メッシュ材２８によって補強されているため、目地幅を比較的広く設定してこのグラウト層の厚さを大きくした場合でも、地震などによる大きな圧縮荷重によって剪断割れを発生することがなく、その圧縮荷重に耐えるだけの充分な強度を持ち得る。従って、ＰＣａ柱部材１０が比較的太く、ＰＣａ柱梁接合部ブロック１４との接合部分が大面積となる場合には、目地幅を広く設定して良好な充填性を確保すればよく、それによってグラウト層の強度が不足するということがない。また、目地空間２６の周縁部に沿って延展する平面形状としたメッシュ材２８は、接合部分の中央部と比べてより大きな圧縮応力が作用する接合部分の周縁部を重点的に補強するという点で合理的なものである。
【００１７】
図３（Ａ）及び（Ｂ）は、本発明の第２の実施の形態に係る方法を適用したＰＣａ柱部材の柱脚と現場打ちコンクリート打設部分である床スラブとの接合部分を示した断面立面図及び平面図である。図３において、床スラブ３２の上面は水平な平面を画成しており、一方、ＰＣａ柱部材３４の柱脚の下面の中央には、扁平な四角錐台の形状の突起である凸型コッター３６が突出形成されている。
【００１８】
床スラブ３２の上面にＰＣａ柱部材３４の柱脚を載置すると、ＰＣａ柱部材３４の柱脚の下面の凸型コッター３６が床スラブ３２の上面に当接するため、ＰＣａ柱部材３４の柱脚の下面と床スラブ３２の上面との間に目地空間３８が形成され、従って、ＰＣａ柱部材３４の柱脚の下面のコンクリート表面と、床スラブ３２の上面のコンクリート表面とを、互いに近接させ対向させることになり、そこに目地空間３８が画成される。
【００１９】
図３に示した実施の形態でも、図２に示した実施の形態と同様に、目地空間３８内に、この目地空間３８に沿って延展するメッシュ材４０を配設するようにしており、このメッシュ材４０は、図２に示したメッシュ材２８と同様のものである。
【００２０】
接合時の作業手順も、図２に示した実施の形態と同様であって、先ず、床スラブ３２の上面に、メッシュ材４０とこの床スラブ３２の上面との間に所定の間隔を確保するための複数のスペーサ４２を載置し、それらスペーサ４２の上にメッシュ材４０を載置し、しかる後に、ＰＣａ柱部材３４を、床スラブ３４の上面に載置する。続いて、ＰＣａ柱部材３４を載置したことによって形成された目地空間３８の周囲を、充填材の止め枠４４によって封止し、目地空間３８内に硬化性充填材であるグラウトを充填して硬化させる。この第２の実施の形態に係る接合部分の補強方法でも、硬化後のグラウト層がメッシュ材４０によって補強されることにより、第１の実施の形態と同じ利点を享受することができる。
【００２１】
図４（Ａ）及び（Ｂ）に示したのは、以上に説明した図２及び図３のメッシュ材２６及び４０に替えて使用することのできる、変更例に係るメッシュ材４６の側面図及び平面図である。図４のメッシュ材４６が上述したメッシュ材２６及び４０と異なる点は、このメッシュ材４６には周縁屈曲部を形成してあることだけであり、その他の部分はメッシュ材２６及び４０と同じである。メッシュ材４６の周辺屈曲部は、スペーサ３０ないし４２の機能（メッシュ材と目地空間を画成する２つのコンクリート表面のうちの少なくとも一方のコンクリート表面との間に所定の間隔を確保する機能）を代替するものであり、このメッシュ材４６を使用する場合には、スペーサを配設する必要がない。
【図面の簡単な説明】
【００２２】
【図１】（Ａ）は本発明に係る補強方法を用いて接合部分を補強するＰＣａ柱部材及びＰＣａ柱梁接合部ブロックの具体例をＰＣａ梁部材と共に示した立面図であり、（Ｂ）は（Ａ）に示したＰＣａ柱梁接合部ブロック及びＰＣａ梁部材の平面図である。
【図２】（Ａ）及び（Ｂ）は、本発明の第１の実施の形態に係る方法を適用した図１のＰＣａ柱部材の柱頭とＰＣａ柱梁接合部ブロックとの接合部分を示した断面立面図及び平面図である。
【図３】（Ａ）及び（Ｂ）は、本発明の第２の実施の形態に係る方法を適用したＰＣａ柱部材の柱脚と現場打ちコンクリート打設部分である床スラブとの接合部分を示した断面立面図及び平面図である。
【図４】（Ａ）及び（Ｂ）は、図２及び図３のメッシュ材２６及び４０に替えて使用することのできる変更例に係るメッシュ材４６の側面図及び平面図である。
【符号の説明】
【００２３】
１０……ＰＣａ柱部材、１４……ＰＣａ柱梁接合部ブロック、２６……目地空間、２８……メッシュ材、３２……床スラブ、３４……ＰＣａ柱部材、３８……目地空間、４０……メッシュ材、４６……メッシュ材。
【図１】
2006265952.tif 000003
【図２】
2006265952.tif 000004
【図３】
2006265952.tif 000005
【図４】
2006265952.tif 000006